(57)【要約】【課題】心電波形の画面と解析結果の画面とを迅速に切り換えることができ、検査結果の説明や把握を迅速に行うことができる心電計を提供すること。【解決手段】タッチパネル１２１上でユーザによるフリックが実行された場合に、タッチパネル１２１に表示された表示画像をフリックの速さ及び方向に従って移動させる表示制御部１３１を設け、心電波形の画像と、計測結果や解析結果を示す画像と、を表示制御部１３１によってフリックに応じてスクロールさせて、タッチパネル１２１に表示するようにした。【選択図】図２
2014033936.tif 000002
【特許請求の範囲】
【請求項１】
タッチパネルと、
前記タッチパネル上でユーザによるフリックが実行された場合に、前記タッチパネルに表示された表示画像を前記フリックの速さ及び方向に従って移動させる表示制御部と、
を具え、
少なくとも心電波形を含む画像と、前記心電波形の計測結果及び／又は解析結果を示す画像と、を前記表示制御部によって前記フリックに応じてスクロールさせて、前記タッチパネルに表示する、
心電計。
【請求項２】
前記計測結果及び／又は解析結果を示す画像は、
前記心電波形の画像に隣接するページに配置されており、前記スクロールにより、前記心電波形のページの直前又は直後のページに表示される、
請求項１に記載の心電計。
【請求項３】
現在表示されているページの画像と、前記スクロールによりページが切り替えられる場合に前記現在表示されている画像の前後に表示されるページの画像とを、格納する３画面分のフレームメモリを、さらに具備する、
請求項１又は請求項２に記載の心電計。
【発明の詳細な説明】
【技術分野】
【０００１】
本発明は、心電図を得る心電計に関する。
【背景技術】
【０００２】
従来、心臓疾患の診断指標として、心電図が広く用いられている。心電図は、心臓の電気的な活動を体表面で検出し、それを心電波形として表したものである。この心電波形（心電図）を計測したり解析したりすることで、心臓の活動に関する様々な情報を得ることができる。標準的な心電図検査の場合、四肢誘導と胸部誘導からなる心電波形（標準１２誘導心電図）を取得する。
【０００３】
近年では、心電図をデータ化して記録するデジタル心電計の開発により、コンピュータを用いて心電図を自動解析することが可能となっている（例えば特許文献１参照）。
【先行技術文献】
【特許文献】
【０００４】
【特許文献１】特開２００６−１１６２０７号公報
【発明の概要】
【発明が解決しようとする課題】
【０００５】
ところで、心電計は、心電波形を得ることができるとともに、その心電波形の計測結果や、心電波形を基に所見などを含む解析結果を得ることができるようになっている。
【０００６】
実際上、心電波形の判読に熟練した医師であれば、心電波形を見ただけで、疾患の位置や状態を判断できる場合も多い。しかし、心電波形の判読に不慣れな医師の場合、心電波形だけからでは、疾患の位置や状態を判断するのは困難である。その場合、心電波形と共に心電波形の計測結果や解析結果を見ることにより、診断を行う。また、被検者も心電波形だけからでは、疾患の位置や状態を理解できないため、医師は、心電波形と共に心電波形の計測結果や解析結果を被検者に見せながら、被検者に検査結果を説明する。
【０００７】
表示画面上に、心電波形の画面と計測結果や解析結果の画面を表示させる場合、ファンクションボタンを何度か押すことで画面を切り換えて表示している。標準１２誘導心電図の場合、１２本の心電波形を判読可能な大きさで、かつ所定の時間（長さ）を表示することが望まれている。しかし、１画面中にこれら心電波形と詳細な計測結果や解析結果を同時に表示するのは困難であるため、画面を切り換えて表示している。この画面切り換えに手間及び時間がかかるため、検査結果を迅速に説明する点で不十分であった。このことは、被検者に検査結果を説明する場合だけに限らず、心電波形の画面と計測結果や解析結果の画面とを切り換えて見る場合に広く生じる。
【０００８】
本発明の目的は、心電波形の画面と計測結果や解析結果の画面とを迅速に切り換えることができ、検査結果の説明や把握を迅速に行うことができる心電計を提供することである。
【課題を解決するための手段】
【０００９】
本発明の心電計の一つの態様は、
タッチパネルと、
前記タッチパネル上でユーザによるフリックが実行された場合に、前記タッチパネルに表示された表示画像を前記フリックの速さ及び方向に従って移動させる表示制御部と、
を具え、
少なくとも心電波形を含む画像と、前記心電波形の計測結果及び／又は解析結果を示す画像と、を前記表示制御部によって前記フリックに応じてスクロールさせて、前記タッチパネルに表示する。
【発明の効果】
【００１０】
本発明によれば、心電波形の画面と計測結果や解析結果の画面とを迅速に切り換えることができ、検査結果の説明や把握を迅速に行うことができる。
【図面の簡単な説明】
【００１１】
【図１】実施の形態の心電計の外観構成を示す斜視図
【図２】心電計の要部構成を示すブロック図
【図３】スクロール表示の説明に供する図
【図４】スクロール表示の説明に供する図
【図５】図３における画像Ｐ０−１を拡大して示した図
【図６】図３における画像Ｐ０を拡大して示した図
【図７】図３における画像Ｐ０＋１を拡大して示した図
【図８】図４における画像Ｐ０＋１を拡大して示した図
【発明を実施するための形態】
【００１２】
以下、本発明の実施の形態について、図面を用いて詳細に説明する。
【００１３】
＜概略構成＞
図１は、本実施の形態の心電計の外観構成を示す斜視図である。心電計１００は、本体部１１０と、表示部１２０と、から構成されている。本体部１１０には、入力キー１０４やプリンタ部１０５が設けられている。表示部１２０にはタッチパネル１２１が設けられている。
【００１４】
本実施の形態の場合、タッチパネル１２１のサイズは、１５インチとなっている。１５インチのサイズは、概ねＡ４の用紙サイズに相当する。これにより、本実施の形態の心電計１００では、Ａ４サイズの用紙に記録したのと同様のレイアウト及び大きさの心電波形を、タッチパネル１２１上で見ることができるようになる。
【００１５】
図２は、心電計１００の要部構成を示すブロック図である。本体部１１０は、演算部１０１、測定部１０２、記憶部１０３、入力キー１０４、プリンタ部１０５、表示制御部１３１及びフレームメモリ１３２を有する。
【００１６】
演算部１０１は、心電図データ処理プログラムを実行することにより、心電波形の形成、及び、心電波形の解析などを行う。また、演算部１０１は、心電図データ処理プログラムの実行開始、実行停止及び実行条件（閾値など）の設定、測定部１０２などの各種計測機器制御、タッチパネル１２１やプリンタ部１０５などの各種周辺機器制御を、入力コマンドに従って行う。
【００１７】
測定部１０２は、被検者（つまり、心電図計測の対象者）に装着される電極部に接続されており、電極部から入力される測定電圧に対して増幅処理などを施し、処理後の測定電圧を演算部１０１に出力する。因みに、測定部１０２には、通常、四肢用電極部及び胸部用電極部が接続されており、標準１２誘導心電図（以下、単に「１２誘導心電図」という）を得るために必要な電圧が入力される。
【００１８】
記憶部１０３は、ハードディスクドライブや半導体メモリなどにより構成される。記憶部１０３は、演算部１０１により得られた心電波形のデータ及びその解析データを記憶する。また、記憶部１０３は、測定部１０２から出力される測定データも記憶しておく。
【００１９】
タッチパネル１２１には、メニュー画面や各種の設定画面が表示され、ユーザは、タッチパネル１２１をタッチ操作することで、メニューの選択や各種の設定を行うことができるようになっている。また、タッチパネル１２１には、演算部１０１により得られた心電波形、計測結果及び解析結果などが表示される。
【００２０】
プリンタ部１０５は、レーザ式やサーマルヘッド式などのプリンタであり、演算部１０１により得られた心電波形、計測結果及び解析結果などを、ユーザによる指示に従って印刷する。
【００２１】
表示制御部１３１は、タッチパネル１２１上でユーザによるフリックが実行された場合に、タッチパネル１２１に表示された表示画像をフリックの速さ及び方向に従って移動させる。これにより、心電計１００は、演算部１０１により得られた、心電波形の画像と、心電波形の計測結果や解析結果を示す画像と、を表示制御部１３１によってフリックに応じてスクロールさせて、タッチパネル１２１に表示することができるようになっている。
【００２２】
実際上、心電計１００は、演算部１０１によって得られた、心電波形の画像と、心電波形の計測結果や解析結果を示す画像と、を予めフレームメモリ１３２に格納しておき、表示制御部１３１がフレームメモリ１３２に格納された画像を読み出してタッチパネル１２１に表示する。これにより、フリックに応じた画像を高速でタッチパネル１２１に表示できる。
【００２３】
ここで、フレームメモリ１３２は、現在表示されているページの画像と、スクロールによりページが切り替えられる場合に現在表示されている画像の前後に表示されるページの画像とを、格納する３画面分のフレームメモリで構成されている。このようにすることで、メモリ量を抑えつつ、高速なスクロール表示を行うことができる。
【００２４】
＜実施の形態によるスクロール表示＞
次に、本実施の形態における心電計１００のスクロール表示について説明する。
【００２５】
図３及び図４は、本実施の形態によるスクロール表示の説明に供する図である。図３及び図４は、フレームメモリ１３２に格納されている３画面分の画像のイメージを示している。図中の中心の画像Ｐ０は現在タッチパネル１２１に表示されている画像を示し、左側の画像Ｐ０−１はタッチパネル１２１を右側にフリックしたときにタッチパネル１２１に表示される画像を示し、右側の画像Ｐ０＋１はタッチパネル１２１を左側にフリックしたときにタッチパネル１２１に表示される画像を示す。
【００２６】
図５は、図３における画像Ｐ０−１を見易いように拡大して示した図である。図５に示した画像は、１拍分の波形を示すものである。この１拍分の波形は、ノイズや不整脈による影響が少ない同位相の位置の波形であり、その位置は、心電計１００よって自動的に検出される。図５の場合には、１拍の波形とともに、心電計１００によって得られた計測結果や解析結果、所見も同一の画像内に配置されている。
【００２７】
図６は、図３における画像Ｐ０を見易いように拡大して示した図である。図６に示した画像には、心臓の画像と、心電波形の計測結果と、所見などの解析結果と、が含まれている。
【００２８】
図７は、図３における画像Ｐ０＋１を見易いように拡大して示した図である。図７に示した画像には、コンティニュアス方式の心電波形と、被検者情報と、計測結果の一部と、が含まれている。図７に示すコンティニュアス方式の心電波形では、１２誘導心電波形のうち、四肢誘導波形Ｉ、II、III、ａＶＲ、ａＶＬ、ａＶＦが左側に配置され、胸部誘導波形Ｖ１、Ｖ２、Ｖ３、Ｖ４、Ｖ５、Ｖ６が右側に配置される。これは、波形の振幅を維持しつつ、１２誘導波形を一括して１画面に表示及び１枚の記録用紙に印刷するために慣例的に行われている工夫である。コンティニュアス方式では、１０秒間の心電波形のうち、前半の０〜５秒の四肢誘導波形を左側に表示及び印刷し、続く後半の５〜１０秒の胸部誘導波形を右側に表示及び印刷するようになっている。このように、コンティニュアス方式では、所定期間（例えば１０秒間）の四肢誘導波形と胸部誘導波形とを、一部の区間（例えば前半５秒間、又は、後半５秒間）の波形を削減して、同一画面に表示するようになっている。また被検者情報として被検者名やＩＤなど被検者に関する情報を、計測結果の一部として心拍数（図中の「６０」）を、表示している。詳細な計測結果と心電波形とを同時に表示するのは困難であるが、心拍数やＳＴ時間などの計測結果の一部であれば、心電波形と同時に表示することも可能である。
【００２９】
ここで、図３に示すように、タッチパネル１２１が左側にフリックされると、図４に示すように、コンティニュアス方式の心電波形の画像Ｐ０（図３の画像Ｐ０＋１に相当する）がタッチパネル１２１に表示されるようになる。そして、図４の右側に示す画像Ｐ０＋１として、新たな画像がフレームメモリ１３２に格納される。
【００３０】
図８は、図４における画像Ｐ０＋１を見易いように拡大して示した図である。図８に示した画像は、１２誘導検査により得られた全波形を１画面内にレイアウトしたものである。つまり、図８の画像は、図７のコンティニュアス方式のように一部の区間の波形を削減したものとは異なり、所定期間内（例えば２０秒間）の全波形をレイアウトしたものである。ただし、全波形をレイアウトするために波形の振幅を小さくし、掃引速度を１２.５ｍｍ/ｓｅｃとして表示している。これにより、１拍ごとの波形の形状の視認性は劣るが、全波形を俯瞰して確認できる。
【００３１】
ここで、医師などのユーザが被検者に検査結果を説明する場合を想定する。ユーザは、タッチパネル１２１をフリックすることで、図３及び図４における、画像Ｐ０、Ｐ０−１、Ｐ０＋１のうち、どれをタッチパネル１２１に表示するかを容易かつ迅速に切り換えることができる。この結果、例えば図３の画像Ｐ０に示すような計測結果や解析結果と、図３の画像Ｐ０＋１に示すような心電波形とを、交互に切り換えて表示させることで、画像Ｐ０＋１の心電波形だけを見ただけでは把握し難い検査結果を、画像Ｐ０を参照しながら把握できるようになる。
【００３２】
ここで重要なのは、計測結果や解析結果を示す画像（図３の画像Ｐ０）を、心電波形の画像（図３のＰ０＋１）に隣接するページに配置し、計測結果や解析結果を示す画像を、スクロールにより、心電波形のページの直前又は直後のページに表示されるようにしたことである。これにより、計測結果や解析結果を示す画像を、心電波形の画像に対する参照画像として、速やかに表示できるようになる。本実施の形態では、計測結果と解析結果の両方を示す画像（図３の画像Ｐ０）を例として説明したが、計測結果のみを示す画像や解析結果のみを示す画像を用いても同様である。
【００３３】
以上説明したように、本実施の形態によれば、タッチパネル１２１上でユーザによるフリックが実行された場合に、タッチパネル１２１に表示された表示画像をフリックの速さ及び方向に従って移動させる表示制御部１３１を設け、心電波形の画像と、心電波形の計測結果や解析結果を示す画像と、を表示制御部１３１によってフリックに応じてスクロールさせて、タッチパネル１２１に表示するようにしたことにより、心電波形の画面と計測結果や解析結果の画面とを迅速に切り換えることができ、検査結果の説明や把握を迅速に行うことができる。
【００３４】
以上、本発明の実施の形態について説明した。なお、以上の説明は本発明の好適な実施の形態の例証であり、本発明の範囲はこれに限定されない。つまり、上記実施の形態において説明した装置の構成および動作は例であり、これらを本発明の範囲において部分的に変更、追加および削除できることは明らかである。
【符号の説明】
【００３５】
１００  心電計
１０１  演算部
１０２  測定部
１０３  記憶部
１０４  入力キー
１０５  プリンタ部
１１０  本体部
１２０  表示部
１２１  タッチパネル
１３１  表示制御部
１３２  フレームメモリ
【図１】
2014033936.tif 000003
【図２】
2014033936.tif 000004
【図３】
2014033936.tif 000005
【図４】
2014033936.tif 000006
【図５】
2014033936.tif 000007
【図６】
2014033936.tif 000008
【図７】
2014033936.tif 000009
【図８】
2014033936.tif 000010